(57)【要約】【課題】気密性を確保し、隙間を隠して美観を維持する幅木コーナーカバーあるいは幅木構造体を提供する。【解決手段】幅木コーナーカバー１は、互いに隣り合う幅木３０を両方にわたって覆う。幅木コーナーカバー１は、幅木３０を覆う垂直板状部１０ｖを一体に交差させた本体部１０と、コーナー３５と本体部１０との間に嵌め込まれて床面３７に配置される柱状のブロック部２０と、を備える。垂直板状部１０ｖは、外部に露出される外側面１３と、外側面１３の反対側でブロック部２０および幅木３０に当接する内側面１５と、を備える。ブロック部２０は、頂面２１がＬ字型であり、コーナー３５に当接する２つのコーナー側垂直面２３ｓが交差したコーナー側部２３と、本体部１０に当接する２つの本体側垂直面２５ｓが交差した本体側部２５と、コーナー側部２３および本体側部２５と交差する２つの垂直端部２７と、を備える。【選択図】図６
2019019459.tif 000002
【特許請求の範囲】
【請求項１】
コーナーを有する壁と床面との取り合い部に設けられて前記コーナーで互いに隣り合う一対の幅木を両方にわたって覆う幅木コーナーカバーであって、
一対の前記幅木をそれぞれ覆う２つの垂直板状部を一体に交差させた本体部と、前記コーナーと前記本体部との間に嵌め込まれて前記床面に配置される柱状のブロック部と、を備え、
前記垂直板状部は、外部に露出される外側面と、前記外側面の反対側で前記ブロック部および前記幅木に当接する内側面と、を備え、
前記ブロック部は、頂面がＬ字型であり、前記コーナーに当接する２つのコーナー側垂直面が交差したコーナー側部と、前記本体部に当接する２つの本体側垂直面が交差した本体側部と、前記コーナー側部および前記本体側部と交差する２つの垂直端部と、を備え、
２つの前記垂直端部はそれぞれ一対の前記幅木が有する木口に当接する
ことを特徴とする幅木コーナーカバー。
【請求項２】
請求項１に記載の幅木コーナーカバーであって、
前記頂面は、前記床面からの高さが前記本体部の下端より高い
ことを特徴とする幅木コーナーカバー。
【請求項３】
コーナーを有する壁と床面との取り合い部に設けられて前記コーナーで互いに隣り合う一対の幅木と、一対の前記幅木を両方にわたって覆う幅木コーナーカバーとを備える幅木構造体であって、
前記幅木は、床面に当たる気密用弾性体を備え、前記幅木コーナーカバーは、請求項１または請求項２に記載した幅木コーナーカバーであることを特徴とする幅木構造体。
【発明の詳細な説明】
【技術分野】
【０００１】
本発明は、本発明は、コーナーを有する壁と床面との取り合い部に設けられてコーナーで互いに隣り合う一対の幅木を両方にわたって覆う幅木コーナーカバー、およびこのような幅木コーナーカバーを適用した幅木構造体に関する。
【背景技術】
【０００２】
壁と床面との間の取り合い部に幅木が配置されることがある。このような幅木は、美観あるいは気密性の向上に寄与する。壁にコーナーがある場合、幅木もコーナーでそれぞれの壁に対応して配置される。つまり、コーナーでは２つの壁にそれぞれ幅木が設けられ、一対の幅木が配置されるので幅木の間に境界が生じ、２つの幅木は、互いに隣り合う関係となる。
２つの幅木の境界は、美感あるいは気密性に影響を生じる。また、幅木の作用を更に向上させることが望まれる。このような観点から、コーナーに配置される幅木に関連して種々の提案がされている。
例えば幅木同士の突合せ部のクッション材と床面との間で隙間が生じないようにした技術が提案されている（例えば、特許文献１参照。）。また、巾木用コーナーパッドをテープなどの貼付手段を使わずに巾木に取り付ける技術が提案されている（例えば、特許文献２参照。）。更に、気密性を確保できる建築用気密部材および気密構造を提供する技術が開示されている（例えば、特許文献３参照。）
【先行技術文献】
【特許文献】
【０００３】
【特許文献１】特開２０１５−１４１７７号公報
【特許文献２】特開２０１６−１６０７４４号公報
【特許文献３】特開２００１−１９３２７３号公報
【発明の概要】
【発明が解決しようとする課題】
【０００４】
しかし、従来の技術は、部材が複雑であり現場での工程が複雑化するなど、例えば、次のような課題があった。
特許文献１の技術では、部材点数が増え、組み立て工程が複雑化する。特許文献２の技術では、幅木用コーナーパッドが開示されているが、床面に向けた気密用弾性体を有する幅木への適用に難しさがある。特許文献３の技術では、壁面との間に弾性シール材を配置した嵌合部材を床面に配置しているが作業の複雑さがある。
本発明はこのような状況に鑑みてなされたものである。すなわち、壁と床面との間での気密性を確保し、床面との間の隙間を隠して美観を維持する幅木コーナーカバーを提供することを目的とする。
また、本発明は、本発明に係る幅木コーナーカバーを適用して、幅木を有するコーナーでの隙間を隠して気密性および美感を保持できる幅木構造体を提供することを他の目的とする。
【課題を解決するための手段】
【０００５】
本発明に係る幅木コーナーカバーは、コーナーを有する壁と床面との取り合い部に設けられて前記コーナーで互いに隣り合う一対の幅木を両方にわたって覆う幅木コーナーカバーであって、一対の前記幅木をそれぞれ覆う２つの垂直板状部を一体に交差させた本体部と、前記コーナーと前記本体部との間に嵌め込まれて前記床面に配置される柱状のブロック部と、を備え、前記垂直板状部は、外部に露出される外側面と、前記外側面の反対側で前記ブロック部および前記幅木に当接する内側面と、を備え、前記ブロック部は、頂面がＬ字型であり、前記コーナーに当接する２つのコーナー側垂直面が交差したコーナー側部と、前記内側面に当接する２つの本体側垂直面が交差した本体側部と、前記コーナー側部および前記本体側部と交差する２つの垂直端部と、を備え、２つの前記垂直端部はそれぞれ一対の前記幅木が有する木口に当接することを特徴とする。
したがって、本発明に係る幅木コーナーカバーにおいて、本体部が幅木に取り付けられたとき、垂直板状部の内側面がブロック部および幅木に当接するので、コーナーと本体部との間で床面に配置されたブロック部は、床面の側で幅木の間の隙間を埋める。つまり、幅木コーナーカバー（ブロック部）は、本体部と床面の間の隙間を埋めて外部の視線から隠し、美感を確保しやすくする。
幅木コーナーカバーは、本体部（および幅木）と床面との間の隙間を隠すだけでなく、併せて、コーナーにおける壁と外部との間の通気を遮断して気密性を確保しやすい。
また、ブロック部は、幅木に本体部を取り付ける前に互いに隣り合う一対の幅木のそれぞれの木口の間で壁に向けて嵌め込まれるので、現場での作業は、ブロック部を嵌め込んだ後、本体部をコーナーの両側にある幅木に取り付けるだけで良く、幅木コーナーカバーは、作業性を向上させて現場での作業を簡略化しやすい。
特に幅木が気密用弾性体を備え、幅木と床面との間での気密性を保持する場合、コーナーにおける幅木コーナーカバー（本体部）の下端と床面と隙間での気密性を確保し、隙間を隠して美観を維持する効果は大きい。
また、本発明の一実施の形態に係る幅木コーナーカバーでは、前記頂面は、前記床面からの高さが前記本体部の下端より高いことを特徴とする。
【０００６】
また、本発明に係る幅木構造体は、コーナーを有する壁と床面との取り合い部に設けられて前記コーナーで互いに隣り合う一対の幅木と、一対の前記幅木を両方にわたって覆う幅木コーナーカバーとを備える幅木構造体であって、前記幅木は、床面に当たる気密用弾性体を備え、前記幅木コーナーカバーは、本発明に係る幅木コーナーカバーであることを特徴とする。
したがって、本発明に係る幅木構造体は、壁のコーナーで互いに隣り合う一対の幅木の間にできる空間を覆う幅木コーナーカバーを備え、幅木コーナーカバーは本発明に係る幅木コーナーカバーであるので、幅木を適用してできるコーナーでの隙間を隠して気密性と美感を保持できる。また、設置時の作業性を向上できる。
【発明の効果】
【０００７】
本発明に係る幅木コーナーカバーは、壁と床面との間での気密性を確保し、床面との間の隙間を隠して美観を維持しやすいという効果を奏する。また、本発明に係る幅木コーナーカバーは、作業性を向上させて現場での作業を簡略化できる。
また、本発明に係る幅木構造体は、本発明に係る幅木コーナーカバーを適用して、幅木を有するコーナーでの隙間を隠して気密性および美観を保持しやすいという効果を奏する。また、本発明に係る幅木構造体は、設置時の作業性を向上できる。
【図面の簡単な説明】
【０００８】
【図１】本発明の実施の形態に係る幅木コーナーカバーのブロック部と、幅木構造体における幅木と、を分解して斜め上方から見た状態で示す分解斜視図である。
【図２】図１に示したブロック部を幅木構造体における幅木に嵌め込んで斜め上方から見た状態で示す斜視図である。
【図３】図１に示したブロック部を拡大して本体側部の斜め上方から見た状態で示す斜視図である。
【図４】図１に示したブロック部を拡大してコーナー側部の斜め上方から見た状態で示す斜視図である。
【図５】図１に示した一対の幅木を両方にわたって覆う幅木コーナーカバーの本体部を内側面の斜め上方から見た状態で示す斜視図である。
【図６】本発明の実施の形態に係る幅木コーナーカバーおよび幅木構造体を斜め上方から見た状態で示す斜視図である。
【図７】図６に示した矢印ＳＦ７−ＳＦ７の方向における本体部およびブロック部の端面状態を拡大して示す拡大端面図である。
【発明を実施するための形態】
【０００９】
以下、図１ないし図７を参照して、本実施の形態に係る幅木コーナーカバー１および幅木構造体５について説明する。なお、幅木コーナーカバー１および幅木構造体５の全体は、図６に示される。
図１は、本発明の実施の形態に係る幅木コーナーカバー１のブロック部２０と、幅木構造体５における幅木３０と、を分解して斜め上方から見た状態で示す分解斜視図である。
図２は、図１に示したブロック部２０を幅木構造体５における幅木３０に嵌め込んで斜め上方から見た状態で示す斜視図である。
図３は、図１に示したブロック部２０を拡大して本体側部２５の斜め上方から見た状態で示す斜視図である。
図４は、図１に示したブロック部２０を拡大してコーナー側部２３の斜め上方から見た状態で示す斜視図である。
図５は、図１に示した一対の幅木３０，３０を両方にわたって覆う幅木コーナーカバー１の本体部１０を内側面１５の斜め上方から見た状態で示す斜視図である。
図６は、本発明の実施の形態に係る幅木コーナーカバー１および幅木構造体５を斜め上方から見た状態で示す斜視図である。
図７は、図６に示した矢印ＳＦ７−ＳＦ７の方向における本体部１０およびブロック部２０の端面状態を拡大して示す拡大端面図である。
【００１０】
幅木コーナーカバー１は、コーナー３５を有する壁３３と床面３７との取り合い部３９に設けられてコーナー３５で互いに隣り合う一対の幅木３０を両方にわたって覆う（図６）。
幅木コーナーカバー１は、一対の幅木３０をそれぞれ覆う２つの垂直板状部１０ｖを一体に交差させた本体部１０（図５）と、コーナー３５と本体部１０との間に嵌め込まれて床面３７に配置される柱状のブロック部２０（図１、図２）と、を備える。なお、ブロック部２０がコーナー３５と本体部１０との間（一対の幅木３０）に嵌め込まれるときの嵌め込み方向ＤＣを矢印で示す（図１）。
垂直板状部１０ｖは、外部に露出される外側面１３と、外側面１３の反対側でブロック部２０および幅木３０に当接する内側面１５と、を備える（図５、図６）。
ブロック部２０は、頂面２１がＬ字型であり、コーナー３５に当接する２つのコーナー側垂直面２３ｓが交差したコーナー側部２３と、本体部１０に当接する２つの本体側垂直面２５ｓが交差した本体側部２５と、コーナー側部２３および本体側部２５と交差する２つの垂直端部２７と、を備える（図１〜図４）。
２つの垂直端部２７はそれぞれ一対の幅木３０が有する木口３０ｔに当接する（図１、図２）。
本体側垂直面２５ｓ（本体側部２５）と幅木３０は面一とされ、垂直板状部１０ｖ（本体部１０）の内側面１５に当接する（図２、図５、図６、図７）。
ブロック部２０の頂面２１の反対側にある底面（不図示）は水平方向ＤＨにおいて頂面２１と平行な平坦面であり、そのまま床面３７に載置される（図７）。
【００１１】
幅木コーナーカバー１は、本体部１０（垂直板状部１０ｖ）の内側面１５に舌片１７を備える。舌片１７は、幅木３０に予め形成されている舌片用溝３１に差し込まれる（図２、図５、図６）。つまり、幅木コーナーカバー１（本体部１０）は、舌片１７と舌片用溝３１とを組み合わせることで幅木３０に取り付けられ、固定される。
舌片１７は、垂直板状部１０ｖ（内側面１５）と平行に配置され、幅木３０に予め形成された舌片用溝３１に沿うように形成されている。これにより、舌片１７が舌片用溝３１に差し込まれることで、本体部１０は、容易かつ確実に幅木３０に取り付けられる。
幅木コーナーカバー１において、本体部１０が幅木３０に取り付けられたとき、垂直板状部１０ｖの内側面１５がブロック部２０および幅木３０に当接するので、コーナー３５と本体部１０との間で床面３７に配置されたブロック部２０は、床面３７の側で一方の幅木３０と他方の幅木３０との間の隙間を埋める（図２、図６）。つまり、ブロック部２０は、本体部１０と床面３７の間の隙間を埋めて外部の視線から隠し、美感を確保しやすくする。
幅木コーナーカバー１は、本体部１０（および幅木３０）と床面３７との間の隙間を隠すだけでなく、併せて、コーナー３５における壁３３と外部との間の通気を遮断して気密性を確保しやすい。
また、ブロック部２０は、幅木３０に本体部１０を取り付ける前に互いに隣り合う一対の幅木３０のそれぞれの木口３０ｔの間で壁３３に向けて嵌め込まれるので、現場での作業は、ブロック部２０を嵌め込んだ後、本体部１０をコーナー３５の両側にある幅木３０に取り付けるだけで良く、作業が簡略化され、高い精度を確保できる（図２）。
特に幅木３０が気密用弾性体３２を備え、幅木３０と床面３７との間での気密性を保持する場合、コーナー３５における幅木コーナーカバー１（本体部１０）の下端１１と床面３７と隙間での気密性を確保し、隙間を隠して美観を維持する効果は大きい（図１、図２、図６）。
ブロック部２０の寸法は、幅木３０の寸法、コーナー３５の寸法、本体部１０の寸法などを勘案して適切に設定される。
【００１２】
頂面２１は、床面３７からの高さが本体部１０の下端１１より高い（図７）。
頂面２１は、床面３７を基準にして本体部１０の下端１１より高ければ良い。つまり、ブロック部２０は、垂直方向ＤＶで、本体部１０の下端１１と床面３７の間の隙間を埋めれば良い。このため、幅木コーナーカバー１は、構造が簡略化されるので、使用部材を小型化でき、生産コストを抑制しやすくなる。
【００１３】
ブロック部２０は、柱状であるから、水平方向ＤＨの断面形状は、頂面２１と同一のＬ字型であり、Ｌ字型における各分岐枝の両端の垂直端部２７は、幅木３０の木口３０ｔに当接する寸法を有して幅木３０と床面３７との間の隙間を埋める（図１〜図４）。このため、美感および気密性の課題を容易に解消しやすい。
コーナー側部２３は壁３３に当接され（図１〜図４）、本体側部２５は本体部１０によって壁３３の側へ押し当てられる（図２、図６、図７）。このため、ブロック部２０は壁３３と本体部１０との間に安定性良く容易に配置される。
また、ブロック部２０は水平方向ＤＨでの凹凸形状が単純なＬ字型であることから形状が安定し、強度が強くなるので信頼性の高い幅木コーナーカバー１を提供できる。本体部１０は、硬質の合成樹脂で形成されることが好ましい。ブロック部２０は、本体部１０と同様の材質で形成される。つまり、硬質の合成樹脂で形成されることが好ましい。ブロック部２０は、本体部１０と床面３７との間を隠せば良く、柱状から適宜変更されて例えば内部に空間を有する箱形などであっても良い。
幅木３０が気密用弾性体３２を備え、幅木３０と床面３７との間での気密性を保持する場合、コーナー３５における本体部１０と床面３７との間の空間をブロック部２０によって遮蔽するので気密性を確保し、隙間を隠して美観を維持する効果は大きい（図１、図２、図、図６）。
なお、幅木３０は、種々の材質で形成されるが、幅木コーナーカバー１と同様の硬質の合成樹脂が適用されても良い。また、気密用弾性体３２は、適切な弾性を確保するために軟質の合成樹脂で形成されることが好ましい。
【００１４】
幅木構造体５は、コーナー３５を有する壁３３と床面３７との取り合い部３９に設けられてコーナー３５で互いに隣り合う一対の幅木３０と、一対の幅木３０を両方にわたって覆う幅木コーナーカバー１とを備える（図１、図２、図５、図６）。なお、上記したとおり、幅木コーナーカバー１（本体部１０）は、本体部１０の内側面１５に形成した舌片１７が幅木３０の舌片用溝３１に挿入されて幅木３０に取り付けられる。
幅木３０は、床面３７に当たる気密用弾性体３２を備える（図１、図２、図６）。
幅木構造体５は、壁３３のコーナー３５で互いに隣り合う一対の幅木３０の間にできる空間を覆う幅木コーナーカバー１を備え、幅木コーナーカバー１は上記したとおりのブロック部２０を有するので、幅木３０を適用してできるコーナー３５での隙間を隠して美感および気密性を保持できる。また、設置時の作業性を向上できる。
【産業上の利用可能性】
【００１５】
本発明に係る幅木コーナーカバーあるいは幅木構造体は、建築物の内装に適用することで有効に利用できる。
【符号の説明】
【００１６】
１  幅木コーナーカバー
５  幅木構造体
１０  本体部
１０ｖ  垂直板状部
１１  下端
１３  外側面
１５  内側面
１７  舌片
２０  ブロック部
２１  頂面
２３  コーナー側部
２３ｓ  コーナー側垂直面
２５  本体側部
２５ｓ  本体側垂直面
２７  垂直端部
３０  幅木
３０ｔ  木口
３１  舌片用溝
３２  気密用弾性体
３３  壁
３５  コーナー
３７  床面
３９  取り合い部
ＤＣ  嵌め込み方向
ＤＨ  水平方向
ＤＶ  垂直方向
ＳＦ  矢印
【図１】
2019019459.tif 000003
【図２】
2019019459.tif 000004
【図３】
2019019459.tif 000005
【図４】
2019019459.tif 000006
【図５】
2019019459.tif 000007
【図６】
2019019459.tif 000008
【図７】
2019019459.tif 000009